(57)【要約】【課題】  処理操作時間を短縮し、巻取紙に対する傷入れの危険性がなく、処理コスト低減を可能とした外装紙開梱装置付き仕立装置を提供する。【解決手段】  外装紙で梱包された巻取紙５０の外装紙を切断して除去する外装紙開梱装置１と、外装紙開梱装置１に並置され外装紙梱包を除去された巻取紙５０の紙端に対し紙継ぎ用の仕立を施す仕立装置２０と、外装紙開梱装置１と仕立装置２０の間を往復移動可能に設けられ巻取紙５０を両端で支持して上下動及び同巻取紙５０に軸心５２回りの正逆転を与えるアーム４３を具えた巻取紙移送装置４０とを有している。外装紙開梱装置１及び仕立装置２０は、巻取紙移送装置４０のアーム４３によって支持された巻取紙５０に対して、それぞれ外装紙梱包の除去作業及び紙継ぎ用の仕立作業を行うよう構成されている外装紙開梱装置付き仕立装置である。【選択図】            図１
2008094609.tif 000002
【特許請求の範囲】
【請求項１】
外装紙で梱包された巻取紙の外装紙を切断して除去する外装紙開梱装置と、同外装紙開梱装置に並置され外装紙梱包を除去された巻取紙の紙端に対し紙継ぎ用の仕立を施す仕立装置と、前記外装紙開梱装置と前記仕立装置の間を往復移動可能に設けられ巻取紙を両端で支持して上下動及び同巻取紙に軸回りの正逆転を与えるアームを具えた巻取紙移送装置とを有し、前記外装紙開梱装置及び仕立装置は、前記巻取紙移送装置のアームによって支持された巻取紙に対して、それぞれ外装紙梱包の除去作業及び紙継ぎ用の仕立作業を行うよう構成されていることを特徴とする外装紙開梱装置付き仕立装置。
【請求項２】
前記アームを具えた巻取紙移送装置が、前記外装紙開梱装置と前記仕立装置の間に伸びて架設された梁に沿って移行可能な横行台車に取り付けられて前記外装紙開梱装置と前記仕立装置の間を往復移動可能に構成されていることを特徴とする請求項１に記載の外装紙開梱装置付き仕立装置。
【請求項３】
前記巻取紙移送装置が、アームによって両端で支持する巻取紙が外装紙で梱包された巻取紙か外装紙梱包を除去された巻取紙かを判別するセンサーを備え、前記アームによって支持した巻取紙が外装紙梱包されているときは前記外装紙開梱装置へ、外装紙梱包を除去された巻取紙のときは前記仕立装置へ移送するように構成されていることを特徴とする請求項１又は２に記載の外装紙開梱装置付き仕立装置。
【請求項４】
前記巻取紙移送装置が、前記センサーの他に、アームによって両端を支持する巻取紙の円周上に付されているラベルを検出するラベルセンサーを備え、その検出されたラベル位置を基準として前記アームが巻取紙を軸回りにおける仕立位置へ回転させるよう構成されていることを特徴とする請求項３に記載の外装紙開梱装置付き仕立装置。
【請求項５】
巻取紙を梱包している外装紙を切断して除去する外装紙開梱装置において、巻取紙を両端で支持して上下動及び同巻取紙に軸回りの正逆転を与えるアームを具えた巻取紙移送装置を有し、前記アームは、両端で支持する巻取紙が外装紙で梱包された巻取紙か外装紙で梱包されていない巻取紙かを判別するセンサーと、前記アームによって両端を支持する巻取紙の円周上に付されているラベルを検出するラベルセンサーを備えていることを特徴とする外装紙開梱装置。
【発明の詳細な説明】
【技術分野】
【０００１】
本発明は、外装紙で梱包された巻取紙の外装紙を切断して除去し巻取紙を取り出す外装紙開梱装置と、巻取紙の紙端に紙継ぎのための仕立てを施す仕立装置とを有する外装紙開梱装置付き仕立装置及びこれに適用して好適な外装紙開梱装置に関する。
【背景技術】
【０００２】
従来、外装紙で梱包された巻取紙から外装紙を切断して除去し巻取紙を取り出す外装紙開梱と、外装紙を除去した巻取紙の紙端に対し施される紙継ぎ用の仕立は、それぞれ別々に単独に設置された外装紙開梱装置と仕立装置によって独立して行なわれるのが普通であった。例えば、従来の外装紙開梱装置の例として、梱包されたロールから切開して巻き出された梱包紙を扁平に巻き取って排出するようにしたもの（特許文献１）や、開封剥離した包装材を複数個の湾曲ガイドプレートで形成された巻回内壁面に沿って渦巻き状に巻回した後、挟圧搬出コンベアで扁平状に挟んで排出するようにしたもの（特許文献２）など種々の方式のものがあり、また、従来の紙継ぎ用仕立装置の例として、巻取紙からの紙端をテーブル上に繰り出して幅方向にカットし、その先端部表面にタブを所定間隔毎に貼着し、切断端に沿って両面テープを貼着するようにしたもの(特許文献３)や、同様にテーブル上でＶ字又は直線仕立に切断した巻取紙の紙端に紙継ぎ用粘着層を形成するとともにタブを貼着するようにしたもの（特許文献４）など種々の方式のものがある。
【特許文献１】特開２００１−２０６３２４号公報
【特許文献２】特開２００１−２０６３２７号公報
【特許文献３】特開２０００−０１６６４５号公報
【特許文献４】特開２００２−３０８４８６号公報
【０００３】
前記したように、従来は別々に単独に設置された外装紙開梱装置と仕立装置によって独立して外装紙開梱と紙継ぎ用仕立が行われていたため、外装紙開梱装置で開梱されたあとの巻取紙は、転がしたりコンベアやトロッコに積載して仕立装置設置場所まで搬送する必要があった。
仕立時間の短縮のためには、外装紙開梱後の巻取紙の搬送時間を短縮することが必要である。また、外装紙開梱後に巻取紙の搬送のため巻取紙を転がしたり、又はコンベアやトロッコに搭載する際に巻取紙の表面に傷入れの危険性があり、その取り扱いには慎重な操作が求められ、外装紙開梱後に行われる巻取紙の搬送時間の短縮には限度があるとともに、仕立後の巻取紙表面における傷の検査に時間を必要とし、これらがコスト要因のひとつになっていた。
【０００４】
更に、外装紙開梱装置と仕立装置は普通別々に設置されている上、それらの装置間には巻取紙を搬送する搬送設備のための設置スペースを取る必要があって、設備全体に大きな設置スペースを必要としていた。その上、巻取紙は外装紙梱包を剥がされてから、仕立装置に搬送して仕立処理を施すまでの間、剥き出しの状態にされているため、外気から吸湿することによって吸湿皺を発生して巻取紙の品質低下を起こす危険もあった。従来の巻取紙の仕立処理には、このように設備の設置に大きなスペースを必要とし、外装紙開梱装置と仕立装置との間で巻取紙の搬送に時間が掛かって処理時間が長引くこと、外装紙開梱装置と仕立装置との間で行われる巻取紙の搬送中に巻取紙に対する傷入れや吸湿皺発生の危険があることなどの点でコスト圧迫要因となる問題があった。
【発明の開示】
【発明が解決しようとする課題】
【０００５】
本発明は、巻取紙に対する従来の外装紙開梱装置と仕立装置が有していた上記問題点を解決し、設置スペースが小さく、処理操作に要する時間を大幅に短縮するとともに、巻取紙に対する傷入れの危険性がなく、処理コスト低減を可能とした外装紙開梱装置付き仕立装置及び本発明による外装紙開梱装置付き仕立装置に採用して好適な外装紙開梱装置を提供することを課題としている。
【課題を解決するための手段】
【０００６】
前記した課題を解決するため本発明は、外装紙で梱包された巻取紙の外装紙を切断して除去する外装紙開梱装置と、同外装紙開梱装置に並置され外装紙梱包を除去された巻取紙の紙端に対し紙継ぎ用の仕立を施す仕立装置と、前記外装紙開梱装置と前記仕立装置の間を往復移動可能に設けられ巻取紙を両端で支持して上下動及び同巻取紙に軸回りの正逆転を与えるアームを具えた巻取紙移送装置とを有し、前記外装紙開梱装置及び仕立装置は、前記巻取紙移送装置のアームによって支持された巻取紙に対して、それぞれ外装紙梱包の除去作業及び紙継ぎ用の仕立作業を行うよう構成されている外装紙開梱装置付き仕立装置を提供する。
【０００７】
本発明による外装紙開梱装置付き仕立装置におけるアームを具えた前記巻取紙移送装置としては、前記外装紙開梱装置と前記仕立装置の間に伸びて架設された梁に沿って移行可能な横行台車に取り付けられて前記外装紙開梱装置と前記仕立装置の間を往復移動可能な構成とすることができる。
【０００８】
また、本発明による外装紙開梱装置付き仕立装置における巻取紙移送装置としては、前記アームによって両端を支持する巻取紙が外装紙で梱包された巻取紙か外装紙梱包を除去された巻取紙かを判別するセンサーを備え、前記アームによって支持した巻取紙が外装紙梱包されているときは前記外装紙開梱装置へ、外装紙梱包を除去された巻取紙のときは前記仕立装置へ移送するように構成することができる。
【０００９】
本発明による外装紙開梱装置付き仕立装置におけ巻取紙移送装置としては、前記センサーの他に、アームによって両端を支持する巻取紙の円周上に付されているラベルを検出するラベルセンサーを備え、その検出されたラベル位置を基準として前記アームが巻取紙を軸回りにおける仕立位置へ回転させるように構成されたものとするのが好ましい。
【００１０】
また、本発明は、巻取紙を両端で支持して上下動及び同巻取紙に軸回りの正逆転を与えるアームを具えた巻取紙移送装置を有し、前記アームは、両端を支持する巻取紙が外装紙で梱包された巻取紙か外装紙で梱包されていない巻取紙かを判別するセンサーと、前記アームによって両端を支持する巻取紙の円周上に付されているラベルを検出するラベルセンサーを備えている外装紙開梱装置を提供する。
【発明の効果】
【００１１】
本発明による外装紙開梱装置付き仕立装置においては、外装紙開梱装置と仕立装置が並置され、巻取紙を両端で支持するアームを具えた巻取紙移送装置が両装置の間を往復移動可能に設けられているので、巻取紙をアームで支持して巻取紙移送装置によって外装紙開梱装置と仕立装置の間を移送でき、従来のように独立して設置されている外装紙開梱装置と仕立装置の間で巻取紙を移送する別の搬送設備が不要となり、その搬送装置を移動させるためのスペースを必要としないので省スペース化が達成できる。
【００１２】
また、本発明の装置によれば、外装紙開梱装置における外装紙開梱とその後の仕立装置への巻取紙の搬送及び仕立装置における巻取紙の仕立とを、巻取紙を巻取紙移送装置のアームによって支持したまま迅速に行うことができ、外装紙開梱装置と仕立装置それぞれに巻取紙保持装置を設けなくてよいので装置のコストを低減できる。また、従来のように外装紙開梱装置で外装紙を除去して開梱した巻取紙を、外装紙開梱装置から別途搬送装置で仕立装置に移送して仕立装置に装着するなどの必要がないため省力化されるとともに、その装着と取り外しや搬送のために巻取紙を転がしたり又はコンベアやトロッコに搭載する際などに問題となっていた巻取紙の表面に対する傷入れの危険性がない。
【００１３】
更に、本発明による外装紙開梱装置付き仕立装置においては、外装紙開梱装置と仕立装置は並置されて一体に設置され、両装置間に巻取紙を搬送する巻取紙移送装置が設けられていて巻取紙は外装紙開梱装置と仕立装置の間を迅速に移動でき、巻取紙は外装紙を剥がされてから仕立装置に搬送して仕立処理を受けるまでの間、長時間に亘って剥き出しの状態にされるということがないため、外装紙開梱された状態の巻取紙が吸湿することによって吸湿皺を発生して巻取紙の品質低下を起こす恐れがない。
【００１４】
本発明による外装紙開梱装置付き仕立装置において、アームを具えた巻取紙移送装置が、外装紙開梱装置と仕立装置の間に伸びて架設された梁に沿って移行可能な横行台車に取り付けられて外装紙開梱装置と仕立装置の間を往復移動可能に構成されているものでは、外装紙開梱装置と仕立装置の間において巻取紙を移送する巻取紙移送装置は外装紙開梱装置と仕立装置の間の上部に設けられ、その下方には外装紙開梱装置と仕立装置の間で巻取紙を自由に移送する空間が確保され、アームに両端を支持された巻取紙を外装紙開梱装置と仕立装置に対して円滑に移動でき外装紙開梱と仕立を迅速に行うことができる。
【００１５】
また、本発明の外装紙開梱装置付き仕立装置において、前記アームによって両端で支持する巻取紙が外装紙で梱包された巻取紙か外装紙梱包を除去された巻取紙かを判別するセンサーを備えた構成としたものでは、この装置に外装紙で梱包された巻取紙又は外装紙梱包を除去された巻取紙のいずれが搬送されて来ても、アームによって支持した巻取紙が外装紙梱包されているときは外装紙開梱装置へ、外装紙梱包を除去された巻取紙のときは仕立装置へと、間違いなく移送して的確に処置することができる。
【００１６】
また、本発明による外装紙開梱装置付き仕立装置における巻取紙移送装置として、前記センサーの他に、アームによって両端を支持する巻取紙の円周上に付されている銘柄ラベルやバーコードラベルなどのラベルを検出するラベルセンサーを備えた構成としたものでは、その検出されたラベル位置を基準としてアームが巻取紙を軸回りにおける仕立位置へ正確に回転させ、又は、そのラベル情報に基いて適応した態様で、紙継ぎのための仕立を迅速に自動で行うことができる。
【００１７】
また、本発明による外装紙開梱装置は、巻取紙を両端で支持して上下動及び巻取紙に軸回りの正逆転を与えるアームを具えた巻取紙移送装置を有し、そのアームはセンサーによって、アームが両端を支持する巻取紙が外装紙で梱包された巻取紙か外装紙で梱包されていない巻取紙かを判別できるとともに、そのアームが両端を支持する巻取紙の円周上に付されているラベルを検出できるので、アームが支持する巻取紙は外装紙開梱を施すものかどうか、また、巻取紙の円周上に付されているラベル位置を基準にして巻取紙に対して切断などの加工を施す位置を決めたり、或いはそのラベルに記された情報に基いて作動を制御することができ、本発明による外装紙開梱装置付き仕立装置に用いるのに好適であるともに、迅速、適切に巻取紙から外装紙を除去するための単独の外装紙開梱装置としても用いることができる。
【発明を実施するための最良の形態】
【００１８】
以下、本発明の装置を、図示した実施例による外装紙開梱装置付き仕立装置によって具体的に説明する。
図１において、１は外装紙開梱装置であり、外装紙で梱包された巻取紙の外装紙を切断して除去する。２０は仕立装置で、外装紙開梱装置１に並置されており、外装紙梱包を除去された巻取紙の紙端に対し紙継ぎ用の仕立を施す。４０は巻取紙移送装置で、外装紙開梱装置１と仕立装置２０の間を往復移動可能に設けられ巻取紙を両端で支持して上下動及び同巻取紙に軸回りの正逆転を与えるアーム４３を具えている。図示した実施例による外装紙開梱装置付き仕立装置は、大きく分けて、以上説明した外装紙開梱装置１、仕立装置２０及び巻取紙移送装置４０によって構成されている。図１において、５０は巻取紙、５１は巻取紙５０を載せて紙面に垂直な方向に搬送する巻取紙移送台車、５２は巻取紙５０の軸心を示している。
次に、外装紙開梱装置１、仕立装置２０及び巻取紙移送装置４０の構成について順に説明する。
【００１９】
図１において、外装紙開梱装置１は、外装紙カッタ装置２、外装紙押えローラ装置３、外装紙巻取装置４、外装紙プレス装置５、外装紙昇降装置６、外装紙排出コンベア７、を有している。外装紙カッタ装置２は、後記するように巻取紙移送装置４０のアーム４３によって両端の軸心部を支持された巻取紙５０の外装紙を軸心方向に沿って切断するカッタを具えていて、そのカッタが巻取紙５０の軸心方向に沿って移動して外装紙を水平方向に全幅に亘って切り開くものであって、その構成は種々のものが当分野で知られており、それらを適宜使用してよいので、その具体的構成についての説明は省略する。
【００２０】
外装紙押えローラ装置３は、外装紙カッタ装置２で外装紙を切断後、外装紙が巻取紙５０の表面から落下するのを防ぐように外装紙を巻取紙５０上で押える作用を行う。外装紙巻取装置４は、外装紙カッタ装置２で切断されて巻取紙５０から除去された外装紙を引き込んで丸めるための装置で、巻取紙５０から垂れ下がる外装紙をローラ８によって外装紙排出コンベア７に引き込んで、外装紙プレス装置５内に形成されている円形の空間９内に送ってその空間に沿って丸める。
このように外装紙が丸められる空間９が形成された外装紙プレス装置５は上下動するよう構成されており、外装紙プレス装置５が降下されると、空間９内に丸められた外装紙は扁平に押し潰される。こうして扁平に押し潰された外装紙は、外装紙プレス装置５を上昇させた後、外装紙昇降装置６に排出され、チェーン１０の駆動により上昇されて後述する排出台車１１などに適宜排出される。
【００２１】
次に、仕立装置２０について説明する。この仕立装置２０は、表皮カッタ装置２１、押えローラ装置２２、先端テープ貼り装置２３（後述する横行台車に取り付けられている）、テーブル２４、排紙巻取装置２５、排紙昇降装置２６、サイドカット・サイドテープ貼り装置２７、先端カット・Ｔタブ貼り装置２８、先端仮止めテープ貼り装置２９を有している。
表皮カッタ装置２１は、仕立を行う巻取紙の表皮を全幅に亘って切断するものである。押えローラ装置２２は、表皮カッタ装置２１で巻取紙５０の表皮を切断後、巻取紙を正逆転させる際に巻取紙の表皮に弛みが生じないように緊張状態をつくるためのものである。
【００２２】
先端テープ貼り装置２３は、巻取紙５０の先端を繰り出した後、巻取紙５０の先端に先端テープを貼り付ける装置であり、リール、テープカッタ、テープクランプ、押えロールなどからなり、昇降式の装置とするのが一般的である。テーブル２４は、仕立作業においてサイドテープ貼り、サイドカット、Ｔタブ貼りなどを行う際の作業台である。仕立を施す巻取紙の先端部をテーブル２４上に案内するためのエアーブローノズル、Ｔタブのセパレータ押え、先端カッタ受け用パッド、及び排紙を案内するゴムローラなどを備えている。テーブル２４は、機枠から一対のブラケットで支持された板材で構成されている。
【００２３】
排紙巻取装置２５は、巻取紙の仕立作業において巻取紙から切り取られた排紙をロール状に巻き取るための装置で、送られて来る排紙を丸める複数個のコンベア３０，３１を有している。排紙昇降装置２６は、排紙巻取装置２５でロール状に巻き取られた排紙を受け取って上方に搬送して装置外に搬出する装置で、リフタを有している。サイドカット・サイドテープ貼り装置２７は、巻取紙に対して紙幅の中央部から左右の外側に向かって斜めにテープ貼りしたあと、巻取紙を巻き戻しながら外側から中央に向かってサイドカットする。
【００２４】
先端カット・Ｔタブ貼り装置２８は、巻取紙の先端を切り、Ｔタブの貼り付けを行う装置である。この装置は、タブ収納箱、タブの取り出し、タブセパレータ剥がしなどの機構をもつタブ供給装置と、供給されたタブを保持し、先端を切断後、先端部にＴタブを貼り付ける２つの機構を有している。また、先端仮止めテープ貼り装置２９は、仕立てられた巻取紙の先端の巻きほぐれを防止するために仮止めテープを貼り付ける装置である。仮止めテープは、巻取紙における先端の中央部に貼り付けられる。先端仮止めテープ貼り装置２９は、他にリール、テープカッタ、押えローラなどを有し、エアシリンダによる昇降式となっている。
巻取紙に対する紙継ぎのための仕立装置は種々のものが当分野でよく知られているので、更なる詳しい説明は省略する。
【００２５】
次に、巻取紙移送装置４０について説明する。巻取紙移送装置４０は、外装紙開梱装置１と仕立装置２０の間の両側に伸びて架設された梁４１、この梁４１に沿って外装紙開梱装置１と仕立装置２０の間を往復移行可能な横行台車４２、この台車４２の両端部から垂下された形の２本のアーム４３を有している。アーム４３は、上下方向に伸縮できるとともに２本のアーム４３が互いに接近・離間する方向（巻取紙５０の幅方向）に移動し得るように構成されており、互いに離間する方向に移動して互いの間が開いた状態にされて両アーム４３間に巻取紙５０を両端側から挟み込める状態にしたあと、互いに離間したアーム４３を接近させて巻取紙５０の両端側で軸心５２部を支持し、アーム４３で支持された巻取紙５０に対して上下動及び同巻取紙５０に軸回りの駆動を与えて正逆転させ得るようになっている。
この巻取紙移送装置４０のアーム４３によって両端を支持された巻取紙５０は、アーム４３によって支持された状態で、外装紙開梱装置１における外装紙の除去、仕立装置２０における紙継ぎのための仕立操作を受けるのである。
【００２６】
アーム４３には、両端で支持する巻取紙５０が外装紙で梱包された巻取紙か、或いは外装紙で梱包されていない巻取紙かを巻取紙の外観色などで判別するセンサー４４と、アーム４３によって両端を支持する巻取紙５０の円周上に付されている銘柄ラベルやバーコードラベルを検出するラベルセンサー４５を備えている。巻取紙移送装置４０は、アーム４３によって支持した巻取紙５０が外装紙梱包されている旨の情報がセンサー４４によって得られているときは支持した巻取紙５０を外装紙開梱装置１へ、また、外装紙梱包を除去された巻取紙である旨の情報がセンサー４４で得られているときは支持した巻取紙を仕立装置２０へ移送するように構成されている。また、ラベルセンサー４５で得られたラベル位置を基にして外装紙開梱装置１からの配送や、仕立装置２０における巻取紙のカット位置設定や、ラベル情報に示された銘柄に適応した仕立作業を適宜行える構成を有している。
【００２７】
以上の構成を有する本実施例による外装紙開梱装置付き仕立装置は、図２に示す説明図のように外装紙開梱装置１と、これに対面状態で並置された仕立装置２０及び巻取紙移送装置４０が一体に構成されている。
次に、以上説明した本実施例による外装紙開梱装置付き仕立装置における作動について、作動状態を簡潔に略示した図３−１から図３−３及び図４−１と図４−２を用いて説明する。
【００２８】
まず、巻取紙移送台車５１に巻取紙５０が載せられて外装紙開梱装置付き仕立装置内に搬入される（図３−１のａ）。巻取紙５０の搬入が終ると装置の自動運転が開始される。自動運転が開始されると、巻取紙移送装置４０のアーム４３が待機位置から、搬入された巻取紙５０が巻取紙移送台車５１上に載せられて待機されている巻取紙装着位置まで前進移動される。このとき、２本のアーム４３は互いに離間し巻取紙５０の両端から離れた状態になっている（図３−１のｂ）。巻取紙装着位置でアーム４３は降下されるとともに巻取紙５０の方向に横移動され、巻取紙５０の軸心５２を検出してそれにアーム４３の軸心が一致する位置までアーム４３の移動が行われた後（図３−１のｃ）、２本のアーム４３は互いに接近する方向に移動されて横開きの状態が閉じられる。こうしてアーム４３は巻取紙５０を軸心５２で把持して巻取紙５０はアーム４３に装着される。このとき、アーム４３に取り付けられたセンサー４４が装着された巻取紙５０が外装紙で梱包されているか否かを巻取紙５０の外観の色などによって判別し、巻取紙５０が外装紙で梱包されているときは巻取紙を外装紙開梱装置１へ搬送する指令が出される。（もし巻取紙５０が外装紙で梱包されていないときは、紙継ぎのため仕立装置２０へ移送する指令が出される。）次いでアーム４３が上昇され、外装紙開梱装置１における開梱位置まで移動される（図３−１のｄ）。
【００２９】
外装紙開梱装置１では、外装紙押えローラ装置３が巻取紙５０を押えた後、外装紙カッタ装置２によって外装紙を巻取紙５０の軸方向に全幅に亘って切断して外装紙開梱が行われる（図３−２のｅ）。次いで、アーム４３は巻取紙５０を軸回りに回転させ、全幅に亘って切断された外装紙の切断端を外装紙排出コンベア７上に落とす（図３−２のｆ）。巻取紙５０を正転させて外装紙を繰り出しつつローラ８によって外装紙排出コンベア７に引き込んで、外装紙プレス装置５内に形成されている円形の空間９（図１）内に送ってその空間に沿って丸める（図３−２のｇ）。こうして外装紙を丸めた後、アーム４３は外装紙開梱装置１から離れ、巻取紙移送装置４０はアーム４３で支持した外装紙除去済みの巻取紙５０を紙継ぎのための仕立を施す仕立装置２０に向けて搬送する（図３−３のｈ）。この状態で、アーム４３のセンサー４４は巻取紙５０が外装紙なしであることを検出しているので、巻取紙５０を仕立装置２０へ自動搬送が可能となる。
【００３０】
外装紙開梱装置１では、巻取紙から除去した外装紙の丸め作業の完了と同時に、丸められた外装紙を図１に示す外装紙プレス装置５によって扁平状態にプレスし、扁平にされた外装紙は外装紙昇降装置６に排出され、チェーン１０の駆動により上昇されて排出台車１１などに適宜排出される（図３−３のｉ）。以上で外装紙開梱装置１における梱包外装紙の開梱操作が終了する。次に仕立装置２０に移送された巻取紙５０に対する仕立作業について説明する。
【００３１】
仕立装置２０に移動したアーム４３は仕立位置２０で停止し、アーム４３で支持されている巻取紙５０は押えローラ装置２２（図１）で押えられ、表皮カッタ装置２１（図１）の表皮カッタ３２によって全幅に亘る表皮切りが行われる（図４−１のａ）。表皮切りによって生じた巻取紙５０の紙端をテーブル２４上に出し、更に巻取紙５０をアーム４３によって回転させて巻取紙５０から紙を繰り出しながら、表皮切りで生じた排紙を排紙巻取装置２５（図１）でロール状に巻取る（図４−１のｂ）。なお、図４−１の（ｂ）以下の図面には簡単化のためアーム４３の図示を省略してある。次いで、先端テープ貼り装置２３（図１）を下降させ、巻取紙５０を回転させながら巻取紙５０のほぼ中央に仕立位置の目印となる先端テープ３３を貼り付ける（図４−１のｃ）。
【００３２】
次いで、巻取紙５０を回転させ先端テープ３３がテーブル２４上の仕立位置に来たときに巻取紙５０の回転を停止させる。図示していない左右のサイドテープ装置が前進し、両面粘着テープであるサイドテープ３４の貼付けを行う（図４−２のｄ）。サイドテープ３４の貼付けを完了したあと、カッタ３５により先端を中央から両側へ斜めにサイドカットを行う（図４−２のｅ）。
【００３３】
上記したサイドテープ貼り、サイドカット作業が終了すると、図示していない先端カット装置がテーブル２４側へ前進し、そのカッタ３６により先端カットを行う（図４−２のｆ）。そのあと、図示していないタブ貼り装置が前進し、巻取紙５０からの紙先端にＴタブ３７を貼り付ける。排紙３８は排紙巻取装置２５（図１）によってロール状に巻き取り、排紙昇降装置２６（図１）に送る。Ｔタブ３７を貼り付けた後、巻取紙５０を巻き戻し、先端仮止めテープを先端テープ３３とＴタブ３７に跨って貼り付ける（図４−２のｇ）。
以上によって仕立装置２０における巻取紙５０に対する紙継ぎのための仕立が完了し、仕立を終えた巻取紙５０はアーム４３によって巻取紙移送台車５１上に移送され、アーム４３を互いに離間させてアーム４３による支持から開放して巻取紙移送台車５１に載せ適宜搬送される（図１）。
【００３４】
以上、本発明による外装紙開梱装置付き仕立装置を図示した実施例に基づいて説明したが、本発明はこれらに何ら限定されることなく実施することができる。
例えば、上記した実施例では、組み合わせられた外装紙開梱装置１と仕立装置２０の１つの構成例のみを示しているが、本発明による外装紙開梱装置付き仕立装置においては、従来公知の外装紙開梱装置と仕立装置を含め、種々の外装紙開梱装置と仕立装置を適宜組み合わせることができる。巻取紙移送装置は、それらの組み合わせられた外装紙開梱装置と仕立装置に対して、巻取紙を支持して移送し、そのまま外装紙開梱と仕立を行わせる巻取紙に対する共通の支持装置を兼ねる。
【００３５】
また、上記した実施例では、外装紙開梱装置１は仕立装置２０と一体に組み合わされて設置されたものだけを示しているが、この外装紙開梱装置１は、外装紙の有無を識別するセンサー４４と、巻取紙上に付けられた銘柄ラベルやバーコードラベルなどのラベルを検知するラベルセンサー４５を備えていて、巻取紙に対して施される作業に対して正確、迅速に対応することができて自動化に良好に適合できる外装紙開梱装置単体としても有効に使用することができる。
【００３６】
また、上記した実施例では、外装紙による巻取紙の端面（鏡面）における梱包の開梱動作について説明していないが、その開梱をも行う外装紙開梱装置を採用してもよいし、巻取紙の端面における梱包を人手などによって予め除去して本装置へ供給するようにしてもよい。
更にまた、上記した実施例では、外装紙で梱包された巻取紙か否かを判別するセンサー４４と巻取紙の円周上に付けられているラベルを検出するラベルセンサー４５を巻取紙移送装置４０のアーム４３に取り付けたものを示しているが、これらのセンサーは所期の検出を行える位置であれば巻取紙移送装置の適宜の場所に取り付けてもよい。
【図面の簡単な説明】
【００３７】
【図１】本発明の一実施例による外装紙開梱装置付き仕立装置の側面図。
【図２】図１の外装紙開梱装置付き仕立装置の全体構成を概念的に示す斜視図。
【図３−１】図１に示した装置における巻取紙の装着動作を順に（ａ）から（ｄ）に示す作動説明図。
【図３−２】図１に示した装置の外装紙開梱装置における巻取紙の外装紙切断作業を順に（ｅ）から（ｇ）に示す作動説明図。
【図３−３】図１に示した装置の外装紙開梱装置における巻取紙の外装紙除去作業を順に（ｈ）から（ｉ）に示す作動説明図。
【図４−１】図１に示した装置の仕立装置における巻取紙の表皮切断から先端テープの貼り付けまでの作業を順に（ａ）から（ｃ）に示す作動説明図。
【図４−２】図１に示した装置の仕立装置における巻取紙の先端に対する紙継ぎのための仕立作業を順に（ｄ）から（ｇ）に示す作動説明図。
【符号の説明】
【００３８】
１    外装紙開梱装置
２    外装紙カッタ装置
３    外装紙押えローラ装置
４    外装紙巻取装置
５    外装紙プレス装置
６    外装紙昇降装置
７    外装紙排出コンベア
８    ローラ
９    空間
１０  チェーン
１１  排出台車
２０  仕立装置
２１  表皮カッタ装置
２２  押えローラ装置
２３  先端テープ貼り装置
２４  テーブル
２５  排紙巻取装置
２６  排紙昇降装置
２７  サイドカット・サイドテープ貼り装置
２８  先端カット・Ｔタブ貼り装置
２９  先端仮止めテープ貼り装置
３０  コンベア
３１  コンベア
３２  表皮カッタ
３３  先端テープ
３４  サイドテープ
３５  カッタ
３６  カッタ
３７  Ｔタブ
３８  排紙
４０  巻取紙移送装置
４１  梁
４２  横行台車
４３  アーム
４４  センサー
４５  ラベルセンサー
５０  巻取紙
５１  巻取紙移送台車
５２  巻取紙の軸心
【図１】
2008094609.tif 000003
【図２】
2008094609.tif 000004
【図３−１】
2008094609.tif 000005
【図３−２】
2008094609.tif 000006
【図３−３】
2008094609.tif 000007
【図４−１】
2008094609.tif 000008
【図４−２】
2008094609.tif 000009